(57)【要約】【課題】  エフェクト処理、台詞の編集処理をできる限り省力化できる画像データ編集技術を提供する。【解決手段】  携帯電子機器の表示画面に表示させる画像データを、所定の表示態様となるように編集する画像データ編集装置１であって、画像データにエフェクト効果を必要とするか否かを判定するエフェクト対象判定手段１２とエフェクト処理手段１３を有する。エフェクト対象判定手段１２によって画像データが特定のエフェクト効果を必要とするか否かが自動的に判定されるため、エフェクト処理を省力化できる。また、台詞処理手段１４を設けることにより、台詞の文字データの編集処理も省力化できる。【選択図】  図１
2010009537.tif 000002
【特許請求の範囲】
【請求項１】
携帯電子機器の表示画面に表示させる画像データを、所定の表示態様となるように編集する画像データ編集装置であって、
編集対象の画像データが特定のエフェクト効果を必要とするか否かを判定するエフェクト対象判定手段と、
前記エフェクト対象判定手段によって特定された画像データに特定のエフェクト効果を設定するエフェクト処理手段と
を有することを特徴とする画像データ編集装置。
【請求項２】
前記エフェクト対象判定手段が、前記画像データを、特定のエフェクトを発生させるエフェクト対象画像データを蓄積しているエフェクト対象画像データ記憶部と照合し、前記画像データが特定のエフェクト効果を必要とするか否かを判定することを特徴とする請求項１記載の画像データ編集装置。
【請求項３】
前記エフェクト対象判定手段が、前記画像データと前記エフェクト対象画像データとの類似度を判定し、所定の類似度以上の場合に、前記画像データがエフェクト効果を必要とすると判定することを特徴とする請求項２記載の画像データ編集装置。
【請求項４】
前記エフェクト対象判定手段が、画像データに関連づけられた編集情報に基づいて前記画像データが特定のエフェクト効果を必要とするか否かを判定することを特徴とする請求項１記載の画像データ編集装置。
【請求項５】
前記画像データがマンガであり、前記エフェクト対象画像データ記憶部に蓄積されているエフェクト対象画像データが、マンガのキャラクタ又は背景の特定の表現であることを特徴とする請求項２又は３記載の画像データ編集装置。
【請求項６】
更に、編集対象のマンガの画像データ中に含まれる吹き出しの中の文字情報を文字データに変換し、変換した文字データを特定の文字で強制改行させる設定及び字間調節の設定を行う台詞処理手段を有することを特徴とする請求項１〜５のいずれか１に記載の画像データ編集装置。
【請求項７】
編集対象の画像データが特定のエフェクト効果を必要とするか否かを判定するエフェクト対象判定ステップと、
前記エフェクト対象判定ステップによって特定された画像ファイルに特定のエフェクト効果を設定するエフェクト処理ステップと
を有することを特徴とする画像データ編集方法。
【請求項８】
編集対象の前記画像データがマンガであり、このマンガの画像データ中に含まれる吹き出しの中の文字情報を文字データに変換し、変換した文字データを特定の文字で強制改行させる設定及び字間調節の設定を行う台詞処理ステップを有することを特徴とする請求項７記載の画像データ編集方法。
【請求項９】
編集対象の画像データが特定のエフェクト効果を必要とするか否かを判定するエフェクト対象判定ステップと、
前記エフェクト対象判定ステップによって特定された画像ファイルに特定のエフェクト効果を設定するエフェクト処理ステップと
を有する画像データ編集方法をコンピュータに実行させるためのコンピュータプログラム。
【請求項１０】
編集対象の前記画像データがマンガであり、このマンガの画像データ中に含まれる吹き出しの中の文字情報を文字データに変換し、変換した文字データを特定の文字で強制改行させる設定及び字間調節の設定を行う台詞処理ステップを有する請求項９記載のコンピュータプログラム。
【発明の詳細な説明】
【技術分野】
【０００１】
本発明は、マンガ等のデジタルデータ化した画像を携帯電子機器へ表示させるに当たって所定の表示態様となるように編集する画像データ編集技術に関する。
【背景技術】
【０００２】
近年、携帯電話や携帯型ゲーム端末をはじめとして携帯型の情報端末が普及し、これらの携帯型の情報端末において、テレビの視聴やデジタルデータ化された小説を読むことが可能となっている。携帯型の情報端末では表示が不向きであったマンガのような画像であっても、表示装置の高精細化に伴って携帯電話の表示画面で楽しむことができるようになってきている。そのため、近年、携帯電話、ＰＤＡ（Personal Digital Assistant）等を対象に、漫画を電子配信するサービスが広がっている。
【０００３】
既存のコミック本をデジタルデータ化するには、スキャナ等で読み取り、画像編集ソフトを使用して、画像を整形し、コマ毎に切り出しなどして編集する必要がある。携帯電子機器の小型の表示装置に表示させる技術が、例えば特許文献１に記載されている。
【特許文献１】特開２００７−２２６２５５号公報
【発明の開示】
【発明が解決しようとする課題】
【０００４】
しかしながら、画像編集ソフトを使用してコミック本をデジタルデータ化するには、読み取った画像データを所定のサイズに整形し、さらに、エフェクト処理、台詞の文字データの編集処理などを行う必要があり、これらに相当の繁雑な作業を要するという課題がある。
【０００５】
本発明は、かかる課題に鑑みてなされたもので、煩雑な編集処理をできる限り省力化できる画像データ編集技術を提供することを目的とする。
【課題を解決するための手段】
【０００６】
上記目的を達成するため、本発明の画像データ編集装置は、携帯電子機器の表示画面に表示させる画像データを、所定の表示態様となるように編集する画像データ編集装置であって、編集対象の画像データが特定のエフェクト効果を必要とするか否かを判定するエフェクト対象判定手段と、前記エフェクト対象判定手段によって特定された画像データに特定のエフェクト効果を設定するエフェクト処理手段とを有することを特徴とする。
このような構成とすることにより、エフェクト対象判定手段によって画像データが特定のエフェクト効果を必要とするか否かが判定されるので、編集処理が省力化される。
【０００７】
この場合、前記エフェクト対象判定手段が、前記画像データを、特定のエフェクトを発生させるエフェクト対象画像データを蓄積しているエフェクト対象画像データ記憶部と照合し、前記画像データが特定のエフェクト効果を必要とするか否かを判定することが好ましい。これにより、エフェクトを必要とする画像データであるかどうかの判定を自動化できるため、編集処理が省力化される。
【０００８】
また、前記エフェクト対象判定手段が、前記画像データと前記エフェクト対象画像データとの類似度を判定し、所定の類似度以上の場合に、前記画像データがエフェクト効果を必要とすると判定することが好ましい。類似画像検索技術を利用することによって、エフェクト効果と画像ファイルとの関連づけを自動化することができる。
【０００９】
前記エフェクト対象判定手段は、画像データに関連づけられた編集情報に基づいて前記画像データが特定のエフェクト効果を必要とするか否かを判定する構成とすることもできる。編集情報を利用することにより、例えば一話の終了コマを検知して終了を告知するエフェクト効果を容易に関連づけを行うことができる。
【００１０】
前記画像データがマンガであり、前記エフェクト対象画像データ記憶部に蓄積されているエフェクト対象画像データが、マンガのキャラクタ又は背景の特定の表現であることが好ましい。これにより、マンガのキャラクタの特定の表現や背景の特定の表現から場面転換等の特定の場面を自動検出して特定のエフェクト効果の関連づけを自動化できる。
【００１１】
また、本発明の画像データ編集装置は、更に、編集対象のマンガの画像データ中に含まれる吹き出しの中の文字情報を文字データに変換し、変換した文字データを特定の文字で強制改行させる設定及び字間調節の設定を行う台詞処理手段を有することを特徴とする。
【００１２】
このような構成とすることにより、画像データのままでは携帯電子機器の小型の表示画面で読みにくくなる文字情報を文字データへの変換とその文字データを原画の雰囲気を壊さずに読みやすく文字体裁を整える処理を自動化して省力化できる。
【００１３】
本発明の画像データ編集方法は、編集対象の画像データが特定のエフェクト効果を必要とするか否かを判定するエフェクト対象判定ステップと、前記エフェクト対象判定ステップによって特定された画像ファイルに特定のエフェクト効果を設定するエフェクト処理ステップとを有することを特徴とする。
【００１４】
前記画像データ編集方法は、編集対象の前記画像データがマンガであり、このマンガの画像データ中に含まれる吹き出しの中の文字情報を文字データに変換し、変換した文字データを特定の文字で強制改行させる設定及び字間調節の設定を行う台詞処理ステップを有することが好ましい。
【００１５】
本発明の画像データ編集方法をコンピュータに実行させるためのコンピュータプログラムは、編集対象の画像データが特定のエフェクト効果を必要とするか否かを判定するエフェクト対象判定ステップと、前記エフェクト対象判定ステップによって特定された画像ファイルに特定のエフェクト効果を設定するエフェクト処理ステップとを有することを特徴とする。
【００１６】
前記コンピュータプログラムは、編集対象の前記画像データがマンガであり、このマンガの画像データ中に含まれる吹き出しの中の文字情報を文字データに変換し、変換した文字データを特定の文字で強制改行させる設定及び字間調節の設定を行う台詞処理ステップを有することが好ましい。
【発明の効果】
【００１７】
本発明によれば、エフェクト対象判定手段によって画像データが特定のエフェクト効果を必要とするか否かが自動的に判定されるため、エフェクト処理を省力化できる。また、台詞処理手段を設けることにより、台詞の文字データの編集処理も省力化できる。
【発明を実施するための最良の形態】
【００１８】
以下、本発明の画像データ編集技術の実施の形態について図面を参照しながら説明するが、本発明は以下の実施の形態に限定されるものではない。
【００１９】
図１は、本発明にかかる画像データ編集装置の構成を示すブロック図である。図１に示す画像データ編集装置１は、バス２に装置全体を制御するＣＰＵ（Central Processing Unit）等の制御部３、コンピュータプログラム及びデータを記憶する記憶部４、キーボード、マウス、スキャナ等の情報入力部５、ディスプレイ等の表示部６などが接続されている。
【００２０】
画像データ編集装置１の記憶部４には、コンピュータプログラムとして、画像前処理手段（画像前処理ステップ）１１、エフェクト対象判定手段（エフェクト対象判定ステップ）１２、エフェクト処理手段（エフェクト処理ステップ）１３、台詞処理手段（台詞処理ステップ）１４等が記憶されていると共に、編集情報格納部２０及びエフェクト対象画像データ記憶部２１を有している。
【００２１】
画像前処理手段１１は、携帯電子機器の表示画面に表示する単位であるステップサイズを設定し、編集対象の画像データからステップサイズの範囲内で携帯電子機器の表示画面に表示する画像を指定領域として選択し、指定領域の画像データの整形、ノイズの除去、コマの外側の処理などを行い、携帯電子機器の表示画面に表示する複数の画像データを作成する。ステップサイズは、コミック本の大きさや、マンガの精細度に応じて適宜設定される。例えば、コミック本の横幅（基準枠）の半分の幅の正方形の枠を設定することができる。ステップサイズがコミック本の横幅の半分の幅の正方形の範囲に設定されると、この範囲が携帯電子機器の表示画面では例えば２４０ピクセル×２４０ピクセルで表示される。
【００２２】
指定領域の選択では、例えば、コミック本の１ページ単位で読み込まれた画像データにおいて、コミック本の一コマがステップサイズの範囲内に収まれば、その一コマを一つの指定領域として選択する。小さいコマの複数個がステップサイズ内に収まれば、その複数個のコマを一つの指定領域として選択する。ステップサイズを超える大きさのコマでは、このコマのストーリー上必要な部分だけを選択することができる。また、ステップサイズを超える大きなコマで、全体を表示する必要があるコマは、２つ以上の指定領域でそのコマ全体をカバーするように指定領域を選択し、これらの指定領域が例えばスクロール表示されるように対応づけられる。
【００２３】
画像前処理手段１１による画像データの画像処理のときに、例えば画面表示の順番の番号、表紙であればその表示、一話の最後であればその表示、場面転換のコマや回想シーンの開始とのコマであればその旨の表示、スクロール表示の開始の有無等の編集情報が作成される。編集情報は画像データと関連づけられて編集情報格納部２０へ保存される。
【００２４】
エフェクト対象判定手段１２は、選択された画像データにエフェクト効果が必要であるか否かを判定する手段である。具体的な判定手法としては、まず、画像前処理手段１１によって画像データと関連付けられた上記の編集情報（例えば、「回想シーンの開始」という編集情報）に基づいて判定する手法が挙げられる。また、選択された画像データを、エフェクト対象画像データ記憶部２１に収納されているエフェクト対象画像データと比較し、所定の類似度以上の場合にエフェクト効果を必要とすると判定する構成とすることもできる。
【００２５】
ここで、エフェクト対象画像データ記憶部２１は、エフェクト効果を必要とする画像データを自動的に検出するためのデータベースである。例えば、場面転換時のキャラクターの交代やキャラクターの特有の表現、あるいは背景を表しているマンガの画像データ、回想シーン開始や終了のキャラクター又は背景の特有の表現を表しているマンガの画像データ、一話の最後のキャラクター又は背景のコマ特有の表現を表しているマンガの画像データ、表紙や予告特有の表現を表しているマンガの画像データ等が、それぞれの場面と関連づけられてマンガの種類毎にデータベース化されて、エフェクト対象画像データとして蓄積されている。
【００２６】
画像データの類似度を判定する類似画像検索技術としては、公知の種々の方式を採用でき限定されるものではない。例えば、画像間の類似性の評価を、画像の色の分布や形状等、画像自体が持つ情報を抽出し、高次元の数値情報として表現した「画像特徴量」に基づいて行う方式を採用できる。「画像特徴量」は、例えば、全対象データに対して定義される一定次元(例えば、100次元)のベクトルであることを前提にし、これによってデータ間には、(100次元ベクトル空間上での)距離が定義されることになる。データ同士の「類似度」は、この距離が小さいかどうかで判断される。具体的は、画像全体の色合い、色の分布（配色）、輪郭線の分布、模様や質感等の画像特徴量から画像が分析され、類似度が検出される。類似度が一定以上であれば、似ている画像であると判断される。
【００２７】
エフェクト処理手段１３は、エフェクト対象判定手段１２によってエフェクト効果が必要であると判定された画像データに対して、特定のエフェクト効果を与えるように処理し、特定のエフェクト効果を画像データと関連づけて編集情報格納部２０へ保存する。
【００２８】
エフェクト効果を与える場面とそのエフェクト効果として、例えば、通常の場面転換用の画像データ（コマ）に対しては、「中央から左右へ開く」動作を１秒で行うエフェクトを設定する。回想シーンの始まり用の画像データ（コマ）に対しては、「中央から四隅へ開く」動作を１秒で行うエフェクトを設定し、回想シーンの終わり用の画像データ（コマ）に対しては、「四隅から中央へ閉じる」動作を１秒で行うエフェクトを設定する。また、話の区切り（表紙、予告付近）の画像ファイル（コマ）に対しては、「正方形でにじむ」動作を１．３秒で行うエフェクトを設定する。
【００２９】
図２は、画像データ編集装置１で特定のエフェクト効果を特定の画像データに関連づける画像データ編集方法を説明するフローチャートである。まず、コミック本などの漫画本の紙面をスキャナ等の情報入力部５で読み込み、画像をデジタルデータとして画像データ編集装置１の記憶部４へ取り込む。記憶部４へ格納されたマンガの画像データは、情報入力部５を操作して例えばページ単位で選択されて表示部６で表示することができる。
【００３０】
ユーザは、画像前処理手段１１において読み込んだコミック本の画像データを処理して所定の画像データを作成する（Ｓ１）。画像データの加工手順は、携帯電子機器の表示画面に表示する単位であるステップサイズの設定、表示部６に表示されている例えば一ページ分のマンガの画像データについて所定のステップサイズでの指定領域の選択、画面表示の順番の番号の付与、画像の整形、ノイズの除去、コマの外側の処理などである。このとき、画像データに関する編集情報が作成され、その画像データと関連づけられて編集情報格納部２０へ保存される（Ｓ２）。
【００３１】
エフェクト対象判定手段１２は、編集情報格納部２０へ保存されている画像データとその編集情報を読み出して、エフェクトを必要とするかどうかを判定する画像データを特定する（Ｓ３）。エフェクト対象判定手段１３は、まず、特定した画像データに関連づけられている編集情報を参照して編集情報に特定のエフェクト効果を必要とする情報が含まれているか否かを調べる（Ｓ４）。編集情報に特定のエフェクト効果を必要とする情報が含まれている場合、その画像データに設定すべきエフェクト効果を特定する（Ｓ６）。エフェクト処理手段１３はその画像データに特定のエフェクト効果を与えるように関連づけの処理を行い、処理結果を編集情報格納部２０へ保存する（Ｓ７）。
【００３２】
エフェクト対象判定手段１２は、Ｓ４で、画像データに関連づけられた編集情報に特定のエフェクト効果を必要とする情報が含まれていない場合、エフェクト対象画像データ記憶部２１に、所定以上の類似度を有するエフェクト対象画像データがあるかどうか検索する（Ｓ５）。所定の類似度以上のエフェクト対象画像データが検出された場合は、特定のエフェクト効果を設定すべきであるから、その画像データに付与すべきエフェクト効果を特定し（Ｓ６）、エフェクト処理手段１３がその画像データに特定のエフェクト効果を与えるように処理し、処理結果を編集情報格納部２０へ保存する（Ｓ７）。
【００３３】
本実施形態の画像データ編集装置１は、このようにして、画像前処理時に画像データに関連づけた編集情報とエフェクト対象画像データ記憶部２１を参照することにより、特定のエフェクト効果を設定すべき画像データに、容易にエフェクト効果を関連づけることができる。
【００３４】
次に、本発明の画像データ編集装置１におけるマンガの中の台詞の処理について説明する。マンガには、吹き出しと呼ばれる話し手の口から吹き出し形に描く台詞を囲む曲線が描かれる。台詞は、画像データのままでは携帯電子機器の表示装置に表示されたときに不鮮明になり、読み取り難くなるため、画像データ編集装置１では、吹き出しの中の台詞の部分については、画像データから文字データへ変換して、文字データを携帯電子機器の表示装置に表示するようにする。本発明の画像データ編集装置１では、変換した文字データの体裁を整えて原画の雰囲気を壊さずに読みやすくすることができるようになっている。
【００３５】
図１に示す画像データ編集装置１における台詞の部分の処理を行うのは、台詞処理手段（台詞処理ステップ）１４である。図３は、台詞処理手段１４の処理手順を示すフローチャートである。台詞処理手段１４は、画像データの中から吹き出し部分を検出する（Ｓ２１）。なお、吹き出しの画像データについては、携帯電子機器の表示装置で読み易いように拡大表示するために、元の画像データから分離されて別途処理される場合もあり、その場合には分離されたデータの中から検出する。台詞処理手段１４は、検出された吹き出し部分の中の文字情報の画像を読み取り（Ｓ２２）、読み取った文字情報の画像を文字データに変換する（Ｓ２３）と共に、画像データとしての文字情報を消去し、その文字情報の位置情報を読み取る。そして、変換した文字データを、吹き出しの中に収まるように体裁を整え、読み取った位置情報と共に、編集情報格納部２０へ保存する（Ｓ２４）。
【００３６】
体裁の整え方としては、例えば、限られた大きさの吹き出しの中でできる限り文字を大きくすると共に見やすくするため、「…」、「！」、「？」の特定の文字があれば、その文字で強制改行するように設定できる。また、カタカナについては、字間詰めしても読み難くならないので、可能な限り改行しないで字間詰めするように設定できる。ローマ字については、字間詰めをしないと不自然であるので、可能な限り改行しないで字間詰めするように設定できる。読点「、」については字間詰めをする設定にすることができる。
【００３７】
このように、本実施形態の画像データ編集装置１は、台詞処理手段１４によって吹き出しの中の台詞を自動処理できるため、画像編集の省力化が可能である。
【産業上の利用可能性】
【００３８】
本発明の画像データ編集技術は、携帯電話等の携帯電子機器にマンガの画像を配信するコンテンツ配信事業に利用することができる。
【図面の簡単な説明】
【００３９】
【図１】本発明の画像データ編集装置の構成例を示すブロック図である。
【図２】エフェクト効果を設定する方法を説明するフローチャートである。
【図３】台詞処理手段の処理工程を説明するフローチャートである。
【符号の説明】
【００４０】
１    ：    画像データ編集装置
３    ：    制御部
４    ：    記憶部
５    ：    情報入力部
６    ：    表示部
１１  ：    画像前処理手段
１２  ：    エフェクト対象判定手段
１３  ：    エフェクト処理手段
１４  ：    台詞処理手段
２０  ：    編集情報格納部
２１  ：    エフェクト対象画像データ記憶部
【図１】
2010009537.tif 000003
【図２】
2010009537.tif 000004
【図３】
2010009537.tif 000005